(57)【要約】【課題】この発明は、外部接続された録画機器に対して予約録画を行なわせるための録画情報の管理を容易化して、汎用性の高い録画予約を実現することを可能とし、ユーザにとっての利便性を向上させるようにした録画制御装置及び録画制御方法を提供することを目的としている。【解決手段】外部接続された録画機器（２９，４０，４１）の機器情報を取得する取得手段（６２）と、録画機器に対して自己のデジタル放送受信機能を用いて番組を録画させるための録画情報を設定する設定手段（１７，６２）と、録画機器に対して日時指定による録画情報の設定が要求された場合、機器情報に基づいて、設定要求された録画情報による録画が録画機器で可能か否かの判定を行なうことなく、録画機器に当該録画情報を設定させる制御手段（６２）とを備える。【選択図】      図２
2008067327.tif 000002
【特許請求の範囲】
【請求項１】
デジタル放送受信機能を備えた録画機器を接続可能とする接続手段と、
前記接続手段に接続された録画機器の機器情報を取得する取得手段と、
前記接続手段に接続された録画機器に対して自己のデジタル放送受信機能を用いて番組を録画させるための録画情報を設定可能とする設定手段と、
前記設定手段により前記録画機器に対して日時指定による録画情報の設定が要求された場合、前記取得手段で取得した機器情報に基づいて、設定要求された前記録画情報による録画が前記録画機器で可能か否かの判定を行なうことなく、前記録画機器に当該録画情報を設定させる制御手段とを具備することを特徴とする録画制御装置。
【請求項２】
前記制御手段は、前記設定手段により前記録画機器に対して番組指定による録画情報の設定が要求された場合、前記取得手段で取得した機器情報に基づいて、前記録画機器が自身で録画の管理が可能な特定の機種であると判断されたとき、設定要求された前記録画情報による録画が前記録画機器で可能か否かの判定を行なうことなく、前記録画機器に当該録画情報を設定させることを特徴とする請求項１記載の録画制御装置。
【請求項３】
前記制御手段は、前記設定手段により前記録画機器に対して番組指定による録画情報の設定が要求された場合、前記取得手段で取得した機器情報に基づいて、設定要求された前記録画情報による録画が前記録画機器で可能か否かの判定を行ない、録画可能であると判定されたとき、前記録画機器に当該録画情報を設定させることを特徴とする請求項１記載の録画制御装置。
【請求項４】
前記制御手段は、前記取得手段で取得した機器情報に基づいて、前記録画機器が判定することができない事項のみを判定することを特徴とする請求項３記載の録画制御装置。
【請求項５】
デジタル放送を受信する受信手段と、
前記受信手段で受信した放送信号から番組を再生する処理手段と、
デジタル放送受信機能を備えた録画機器を接続可能とする接続手段と、
前記接続手段に接続された録画機器の機器情報を取得する取得手段と、
前記接続手段に接続された録画機器に対して自己のデジタル放送受信機能を用いて番組を録画させるための録画情報を設定可能とする設定手段と、
前記設定手段により前記録画機器に対して日時指定による録画情報の設定が要求された場合、前記取得手段で取得した機器情報に基づいて、設定要求された前記録画情報による録画が前記録画機器で可能か否かの判定を行なうことなく、前記録画機器に当該録画情報を設定させる制御手段とを具備することを特徴とする放送受信装置。
【請求項６】
デジタル放送受信機能を備えた録画機器を接続する工程と、
接続された録画機器の機器情報を取得する工程と、
接続された録画機器に対して自己のデジタル放送受信機能を用いて番組を録画させるための録画情報を設定する工程と、
接続された録画機器に対して日時指定による録画情報の設定が要求された場合、前記機器情報に基づいて、設定要求された録画情報による録画が前記録画機器で可能か否かの判定を行なうことなく、前記録画機器に当該録画情報を設定させる工程とを具備することを特徴とする録画制御方法。
【発明の詳細な説明】
【技術分野】
【０００１】
この発明は、外部接続された録画機器に対して番組を録画予約するための録画情報の登録を行なう録画制御装置及び録画制御方法に係り、特に複数の録画機器を外部接続して選択的に制御可能とするデジタルテレビジョン放送受信装置等に使用して好適するものに関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（hard disk drive）のような大容量のデジタル録画機器を接続することにより、受信した番組をデジタル録画したり、録画した番組を再生したりすることが可能となっている。
【０００４】
さらに、現在では、１台のデジタル放送受信装置に対して、複数のデジタル録画機器を接続してネットワーク化することにより、デジタル放送受信装置が、任意のデジタル録画機器を指定して番組の録画を行なわせたり、任意のデジタル録画機器を指定して番組の再生を行なわせたりすることができる。
【０００５】
ところで、このように、複数のデジタル録画機器をネットワーク接続して選択的に制御可能とするデジタル放送受信装置では、そこに接続されている各デジタル録画機器に対して番組の予約録画を行なわせるための録画情報を、受信装置自身が全て管理する構成となっている。
【０００６】
すなわち、デジタル放送受信装置は、所定のデジタル録画機器に予約録画を行なわせる際に、録画対象となる番組がそのデジタル録画機器で録画可能であるか否かの判定を行ない、録画可能であると判断された場合に、録画情報を当該デジタル録画機器に送信して登録させている。このため、デジタル放送受信装置に接続されるデジタル録画機器の台数が増加すると、録画情報の管理が煩雑になる。
【０００７】
また、録画情報の登録は、各デジタル録画機器に設定されている録画情報登録画面を、デジタル放送受信装置のディスプレイに表示させることにより行なっている。このため、デジタル録画機器毎に録画情報登録画面のレイアウトが異なるため、ユーザにとって取り扱いが不便になっている。
【０００８】
特許文献１には、デジタルテレビ放送受信機とＶＴＲとを通信ケーブルで接続し、デジタルテレビ放送受信機が、ユーザによって指定された録画予約番組に関する予約情報をＶＴＲに送信し、ＶＴＲが、デジタルテレビ放送受信機から送信されてきた予約情報を登録するようにした構成が開示されている。
【０００９】
また、特許文献２には、デジタル放送チューナとネット対応記録機器とをネットワークを介して接続し、チューナで記録機器に記録予約を登録する際に、チューナから記録予約データをネットワークを介して記録機器に伝送して登録させるようにした構成が開示されている。
【特許文献１】特開２００２−１６５１６６
【特許文献２】特開２００５−２２２６４３
【発明の開示】
【発明が解決しようとする課題】
【００１０】
そこで、この発明は上記事情を考慮してなされたもので、外部接続された録画機器に対して予約録画を行なわせるための録画情報の管理を容易化して、汎用性の高い録画予約を実現することを可能とし、ユーザにとっての利便性を向上させるようにした録画制御装置及び録画制御方法を提供することを目的とする。
【課題を解決するための手段】
【００１１】
この発明に係る録画制御装置は、デジタル放送受信機能を備えた録画機器を接続可能とする接続手段と、接続手段に接続された録画機器の機器情報を取得する取得手段と、接続手段に接続された録画機器に対して自己のデジタル放送受信機能を用いて番組を録画させるための録画情報を設定可能とする設定手段と、設定手段により録画機器に対して日時指定による録画情報の設定が要求された場合、取得手段で取得した機器情報に基づいて、設定要求された録画情報による録画が録画機器で可能か否かの判定を行なうことなく、録画機器に当該録画情報を設定させる制御手段とを備えるようにしたものである。
【００１２】
また、この発明に係る録画制御方法は、デジタル放送受信機能を備えた録画機器を接続する工程と、接続された録画機器の機器情報を取得する工程と、接続された録画機器に対して自己のデジタル放送受信機能を用いて番組を録画させるための録画情報を設定する工程と、接続された録画機器に対して日時指定による録画情報の設定が要求された場合、機器情報に基づいて、設定要求された録画情報による録画が録画機器で可能か否かの判定を行なうことなく、録画機器に当該録画情報を設定させる工程とを備えるようにしたものである。
【発明の効果】
【００１３】
上記した発明によれば、接続された録画機器に対して日時指定による録画情報の設定が要求された場合、この録画情報による録画が録画機器で可能か否かの判定を行なうことなく、録画機器に当該録画情報を設定させるようにしたので、外部接続された録画機器に対して予約録画を行なわせるための録画情報の管理が容易化され、汎用性の高い録画予約を実現することができ、ユーザにとっての利便性を向上させることが可能となる。
【発明を実施するための最良の形態】
【００１４】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１５】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１８】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１９】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２２】
さらに、この第２のＬＡＮ端子２２は、ハブ２６に接続されたブロードバンドルータ３０を介して、例えばインターネット等のネットワーク３１に接続し、そのネットワーク３１を介してＰＣ３２や携帯電話３３等と情報伝送を行なうために使用される。
【００２３】
また、上記ＵＳＢ端子２３は、一般的なＵＳＢ対応ポートとして使用されるもので、例えばハブ３４を介して、携帯電話３５、デジタルカメラ３６、メモリカードに対するカードリーダ／ライタ３７、ＨＤＤ３８、キーボード３９等のＵＳＢ機器を接続し、これらのＵＳＢ機器と情報伝送を行なうために使用される。
【００２４】
さらに、上記ＩＥＥＥ１３９４端子２４は、例えば、それぞれがデジタル放送受信機能を有するＡＶ（audio video）−ＨＤＤ４０やＤ（digital）−ＶＨＳ（video home system）４１等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４２で受信した衛星デジタル放送信号は、入力端子４３を介して衛星デジタル放送用のチューナ４４に供給されることにより、所望のチャンネルの放送信号が選局される。
【００２６】
そして、このチューナ４４で選局された放送信号は、ＰＳＫ（phase shift keying）復調器４５に供給されてＴＳ（transport stream）が復調される。このＴＳは、ＴＳ復号器４６に供給されてデジタルの映像信号及び音声信号等に復号化された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（orthogonal frequency division multiplexing）復調器５１に供給されてＴＳが復調される。このＴＳは、ＴＳ復号器５２に供給されてデジタルの映像信号及び音声信号に復号化された後、上記信号処理部４７に出力される。
【００２９】
また、上記地上波放送受信用のアンテナ４８で受信した地上アナログテレビジョン放送信号は、入力端子４９を介して地上アナログ放送用のチューナ５３に供給されることにより、所望のチャンネルの放送信号が選局される。そして、このチューナ５３で選局された放送信号は、アナログ復調器５４に供給されてアナログの映像信号及び音声信号に復調された後、上記信号処理部４７に出力される。
【００３０】
ここで、上記信号処理部４７は、ＴＳ復号器４６，５２からそれぞれ供給されたデジタルの映像信号及び音声信号に対して、選択的に所定のデジタル信号処理を施し、グラフィックス処理部５５及び音声処理部５６に出力している。
【００３１】
また、上記信号処理部４７には、複数（図示の場合は４つ）の入力端子５７ａ，５７ｂ，５７ｃ，５７ｄが接続されている。これら入力端子５７ａ〜５７ｄは、それぞれ、アナログの映像信号及び音声信号を、デジタルテレビジョン放送受信装置１１の外部から入力可能とするものである。
【００３２】
そして、この信号処理部４７は、上記アナログ復調器５４及び各入力端子５７ａ〜５７ｄからそれぞれ供給されたアナログの映像信号及び音声信号を選択的にデジタル化し、そのデジタル化された映像信号及び音声信号に対して所定のデジタル信号処理を施した後、グラフィックス処理部５５及び音声処理部５６に出力している。
【００３３】
このうち、グラフィックス処理部５５は、信号処理部４７から供給されるデジタルの映像信号に、ＯＳＤ（on screen display）信号生成部５８で生成されるＯＳＤ信号を重畳して出力する機能を有する。このグラフィックス処理部５５は、信号処理部４７の出力映像信号と、ＯＳＤ信号生成部５８の出力ＯＳＤ信号とを選択的に出力すること、また、両出力をそれぞれ画面の半分を構成するように組み合わせて出力することができる。
【００３４】
そして、グラフィックス処理部５５から出力されたデジタルの映像信号は、映像処理部５９に供給される。この映像処理部５９は、入力されたデジタルの映像信号を、前記映像表示器１４で表示可能なフォーマットのアナログ映像信号に変換した後、映像表示器１４に出力して映像表示させるとともに、出力端子６０を介して外部に導出させる。
【００３５】
また、上記音声処理部５６は、入力されたデジタルの音声信号を、前記スピーカ１５で再生可能なフォーマットのアナログ音声信号に変換した後、スピーカ１５に出力して音声再生させるとともに、出力端子６１を介して外部に導出させる。
【００３６】
ここで、このデジタルテレビジョン放送受信装置１１は、上記した各種の受信動作を含むその全ての動作を制御部６２によって統括的に制御されている。この制御部６２は、ＣＰＵ（central processing unit）６２ａを内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６２は、主として、そのＣＰＵ６２ａが実行する制御プログラムを格納したＲＯＭ（read only memory）６２ｂと、該ＣＰＵ６２ａに作業エリアを提供するＲＡＭ（random access memory）６２ｃと、各種の設定情報及び制御情報等が格納される不揮発性メモリ６２ｄとを利用している。
【００３８】
また、この制御部６２は、カードＩ／Ｆ（interface）６３を介して、前記第１のメモリカード１９が装着可能なカードホルダ６４に接続されている。これによって、制御部６２は、カードホルダ６４に装着された第１のメモリカード１９と、カードＩ／Ｆ６３を介して情報伝送を行なうことができる。
【００３９】
さらに、上記制御部６２は、カードＩ／Ｆ６５を介して、前記第２のメモリカード２０が装着可能なカードホルダ６６に接続されている。これにより、制御部６２は、カードホルダ６６に装着された第２のメモリカード２０と、カードＩ／Ｆ６５を介して情報伝送を行なうことができる。
【００４０】
また、上記制御部６２は、通信Ｉ／Ｆ６７を介して第１のＬＡＮ端子２１に接続されている。これにより、制御部６２は、第１のＬＡＮ端子２１に接続されたＬＡＮ対応のＨＤＤ２５と、通信Ｉ／Ｆ６７を介して情報伝送を行なうことができる。この場合、制御部６２は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６２は、通信Ｉ／Ｆ６８を介して第２のＬＡＮ端子２２に接続されている。これにより、制御部６２は、第２のＬＡＮ端子２２に接続された各機器（図１参照）と、通信Ｉ／Ｆ６８を介して情報伝送を行なうことができる。
【００４２】
また、上記制御部６２は、ＵＳＢ Ｉ／Ｆ６９を介して前記ＵＳＢ端子２３に接続されている。これにより、制御部６２は、ＵＳＢ端子２３に接続された各機器（図１参照）と、ＵＳＢ Ｉ／Ｆ６９を介して情報伝送を行なうことができる。
【００４３】
さらに、上記制御部６２は、ＩＥＥＥ１３９４ Ｉ／Ｆ７０を介してＩＥＥＥ１３９４端子２４に接続されている。これにより、制御部６２は、ＩＥＥＥ１３９４端子２４に接続された各機器（図１参照）と、ＩＥＥＥ１３９４ Ｉ／Ｆ７０を介して情報伝送を行なうことができる。
【００４４】
ここで、このデジタルテレビジョン放送受信装置１１は、その端子２１〜２４に接続された各機器のうち、デジタル録画機器であってデジタルチューナを内蔵しているもの、つまり、デジタル放送受信機能を有する各デジタル録画機器（例えばＤＶＤレコーダ２９、ＡＶ−ＨＤＤ４０、Ｄ−ＶＨＳ４１等）に対して、それぞれ自己のデジタルチューナで放送番組を受信して予約録画を行なわせるための録画情報を登録させる機能を有している。
【００４５】
この場合、デジタルテレビジョン放送受信装置１１の制御部６２は、接続されている各デジタル録画機器とそれぞれ双方向通信を行なうことにより、デジタル録画機器毎に、その仕様や機能等を含む機器情報を取得する。
【００４６】
そして、制御部６２は、ユーザが所定のデジタル録画機器を指定して、日時指定による録画予約を要求した場合、先に取得した機器情報に基づいて、ユーザの指定したデジタル録画機器に対して、要求された予約録画が可能であるか否かの判定を行なうことなく、そのデジタル録画機器に録画情報を登録させるように動作する。
【００４７】
すなわち、日時指定による録画予約が行なわれた場合、指定された日時に指定されたデジタル録画機器に録画が可能であるか否かの判断はユーザに一任しており、制御部６２では、その判断を行なわずに日時予約の録画情報をデジタル録画機器に登録させるように動作する。
【００４８】
換言すれば、指定された日時に指定されたデジタル録画機器に正しく予約録画が行なわれるか否かは、ユーザの責任に負うものとなる。これにより、制御部６２による録画情報の管理が容易化され、汎用性の高い録画予約を実現することができ、ユーザにとっての利便性を向上させることが可能となる。
【００４９】
これに対し、ユーザが所定のデジタル録画機器を指定して、番組指定による録画予約を要求した場合、制御部６２は、先に取得した機器情報に基づいて、ユーザの指定したデジタル録画機器に対して、要求された予約録画が可能であるか否かの判定を行ない、予約録画が可能であると判断された場合に、そのデジタル録画機器に録画情報を登録させるように動作する。
【００５０】
図３乃至図７は、上記した録画情報の登録処理動作を具体的に示すフローチャートである。すなわち、制御部６２は、ステップＳ１で、放送信号やネットワーク等を介して取得した番組情報であるＥＰＧ（electronic program guide）情報に基づいて電子番組表を作成する。ユーザは、この作成された電子番組表から所望の番組を検索することができる。また、データ放送を受信することも可能である。
【００５１】
次に、制御部６２は、ステップＳ２で、ラストの録画機器から機器情報を取得する。ラストの録画機器とは、録画や録画情報を登録した録画機器である。また、制御部６２は、現在接続されている全ての録画機器と通信して、それらの仕様や機能等を含む機器情報を取得する。
【００５２】
その後、制御部６２は、ステップＳ３で、番組基本情報を取得する。この番組基本情報には、番組確定情報、予約時間、サービス名、番組名及び番組説明情報等がある。このうち、番組確定情報、予約時間、サービス名については、取得することができなかった場合に予約不可メッセージが表示され、リモートコントローラ１７の決定キーが操作されることにより、ステップＳ１の処理に戻される。また、番組名及び番組説明情報については、取得することができなかった場合にそれらを表示するための文字列が空欄となる。
【００５３】
次に、制御部６２は、ステップＳ４で、番組情報を取得する。この番組情報には、番組の付加画面アイコン表示情報、パレンタル情報、コピー情報等がある。取得できなかった情報については、アイコンは表示されなくなる。また、制御部６２は、ステップＳ５で、課金情報を取得する。この処理は、番組が有料であるか無料であるかの判定を行ない、有料である場合に、ユーザに契約情報の取得を依頼するものである。
【００５４】
その後、制御部６２は、ステップＳ６で、予約録画された同一番組が存在するか否かの確認を行ない、同一番組が確認された場合は、ステップＳ７で予約取り消しに関する処理に移行される。
【００５５】
以上のように、録画機器の機器情報、番組情報及び課金情報等が取得された後、制御部６２は、ステップＳ８で、視聴、録画、予約日時変更、録画設定等を行なうための番組指定予約画面を表示させる。
【００５６】
この番組指定予約画面は、図８に示すように、番組名、サービス名、放送日時、番組生命、ジャンル等が表示される他、録画予約、視聴予約、予約日時変更、録画設定等の項目を選択可能となっている。そして、この番組指定予約画面で予約日時変更の項目を選択し決定した場合、制御部６２は、ステップＳ９で日時変更をしても良いか否かユーザに確認を行なった上、ステップＳ１０で日時指定予約画面を表示させる。
【００５７】
ここで、この日時指定予約画面で日時指定が行なわれ決定された場合、制御部６２は、ステップＳ１１（図７参照）で、録画機器の種別を判定し、その判定結果に基づいて、ステップＳ１２，Ｓ１３に示すように、録画機器の種別に応じて、日時指定に対応する録画情報を録画機器に登録させる。そして、制御部は、ステップＳ１４，Ｓ１５で登録を確認し、ＯＫであればステップＳ１６で予約完了メッセージを表示させて処理を終了する。
【００５８】
また、上記番組指定予約画面で録画設定の項目が選択され決定された場合、制御部６２は、ステップＳ１７で録画詳細設定画面を表示させ、ステップＳ１８で設定が完了されることにより、現在視聴中の番組が録画機器に録画されるようになる。
【００５９】
さらに、上記番組指定予約画面で録画予約または視聴予約の項目が選択され決定された場合、制御部６２は、ステップＳ１９で録画機器が特定機種のデジタル録画機器（以下ＲＤと称する）であるか否かが判別される。
【００６０】
そして、ＲＤである場合、制御部６２は、ステップＳ２０（図６参照）で、デジタル放送の録画予約であるか否かが判別され、デジタル放送の録画予約である場合、上記ステップＳ１１の処理に移行される。この場合、ステップＳ１１ではＲＤと判別されるので、ステップＳ１３で番組指定に対応する録画情報が録画機器（ＲＤ）に登録されることになる。
【００６１】
また、上記ステップＳ１９で録画機器がＲＤでないと判断された場合、制御部６２は、ステップＳ２１で視聴予約か録画予約かを判別し、視聴予約である場合、ステップＳ２２で予約重複判定及びダウンロード予約重複判定等を行ない、ステップＳ２３で予約登録数の確認を行なった後、ステップＳ２４で再度視聴予約か録画予約かを判別し、視聴予約である場合、上記ステップＳ１１の処理に移行される。
【００６２】
一方、上記ステップＳ２１で録画予約であると判断された場合、制御部６２は、ステップＳ２５で課金形態の判別を行ない、ステップＳ２６でコピーステイタスによる録画判定、アナログ録画かデジタル録画かの判定、コピー可能なタグ値の取得判定等を行ない、ステップＳ２２で予約重複判定及びダウンロード予約重複判定等を行ない、ステップＳ２３で予約登録数の確認を実行する。
【００６３】
その後、制御部６２は、ステップＳ２４で再度視聴予約か録画予約かを判別し、録画予約である場合、ステップＳ２７で視聴制限判定を行ない、ステップＳ２８で購入処理有無の判定を行なって、上記ステップＳ１１の処理に移行される。この場合、ステップＳ１１ではＲＤでないと判別されるので、ステップＳ１２で番組指定に対応する録画情報が録画機器に登録されることになる。
【００６４】
上記した実施の形態では、まず、録画機器の機器情報、番組情報及び課金情報等を取得した後、視聴、録画、予約日時変更、録画設定等を行なうための番組指定予約画面を表示させ、日時指定による録画予約が行なわれた場合、日時指定に対応する録画情報をデジタル録画機器に無条件に登録させるようにしている。これにより、制御部６２による録画情報の管理が容易化され、汎用性の高い録画予約を実現することができ、ユーザにとっての利便性を向上させることが可能となる。
【００６５】
また、番組指定予約画面で番組指定による録画予約が選択された場合、録画機器が特定機種、つまり、自身で課金、コピー、重複、登録数等に関する判定を行なう機能を持ったものであれば、番組予約の録画情報を録画機器に無条件に登録させ、各種の判定等を含む録画実行スケジュール管理を、その録画機器に任せるようにしている。このような点によっても、制御部６２による録画情報の管理が容易化され、汎用性の高い録画予約を実現することができ、ユーザにとっての利便性を向上させることが可能となる。
【００６６】
さらに、デジタル録画機器に番組指定による録画予約を行なう際には、デジタル録画機器から取得することができた機器情報に基づいて、録画機器が判定できる事項は録画機器に任せるようにし、録画機器が判定することができない事項のみを制御部６２で判定するようにして、制御部６２による録画情報の管理を容易化することも可能である。
【００６７】
また、番組指定予約画面は、デジタルテレビジョン放送受信装置１１に用意されているものであるから、どのデジタル録画機器を指定しても、そのレイアウトは同じであり、ユーザにとっての取り扱いを便利にすることができる。
【００６８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置の主要な処理動作の一部を説明するために示すフローチャート。
【図４】同実施の形態におけるデジタルテレビジョン放送受信装置の主要な処理動作の一部を説明するために示すフローチャート。
【図５】同実施の形態におけるデジタルテレビジョン放送受信装置の主要な処理動作の一部を説明するために示すフローチャート。
【図６】同実施の形態におけるデジタルテレビジョン放送受信装置の主要な処理動作の一部を説明するために示すフローチャート。
【図７】同実施の形態におけるデジタルテレビジョン放送受信装置の主要な処理動作の一部を説明するために示すフローチャート。
【図８】同実施の形態におけるデジタルテレビジョン放送受信装置によって表示される画面の一例を説明するために示す図。
【符号の説明】
【００７０】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…ブロードバンドルータ、３１…ネットワーク、３２…ＰＣ、３３…携帯電話、３４…ハブ、３５…携帯電話、３６…デジタルカメラ、３７…カードリーダ／ライタ、３８…ＨＤＤ、３９…キーボード、４０…ＡＶ−ＨＤＤ、４１…Ｄ−ＶＨＳ、４２…アンテナ、４３…入力端子、４４…チューナ、４５…ＰＳＫ復調器、４６…ＴＳ復号器、４７…信号処理部、４８…アンテナ、４９…入力端子、５０…チューナ、５１…ＯＦＤＭ復調器、５２…ＴＳ復号器、５３…チューナ、５４…アナログ復調器、５５…グラフィックス処理部、５６…音声処理部、５７ａ〜５７ｄ…入力端子、５８…ＯＳＤ信号生成部、５９…映像処理部、６０…出力端子、６１…出力端子、６２…制御部、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ＩＥＥＥ１３９４ Ｉ／Ｆ。
【図１】
2008067327.tif 000003
【図２】
2008067327.tif 000004
【図３】
2008067327.tif 000005
【図４】
2008067327.tif 000006
【図５】
2008067327.tif 000007
【図６】
2008067327.tif 000008
【図７】
2008067327.tif 000009
【図８】
2008067327.tif 000010